(57)【要約】【課題】ガラス周縁の嵌入施工性とガラス支持力との両者を満足するとともに、ガラスの支持力を長期間に亘って維持し得るグレチャンを提供する。【解決手段】前記グレチャン１Ａは、底面部２と、この底面部２から延在して設けられた左右対の側壁部３，３とから成り、前記側壁部３の内面側にガラス面に当接する少なくとも１以上の舌片４，４が形成されるとともに、前記底面部２は無荷重状態時の断面形状が上方向へ突出する隆起形状、例えば逆Ｖ字状を成すように形成されている。【選択図】  図１
2004190316.tif 000002
【特許請求の範囲】
【請求項１】
ガラス周縁部を嵌合保持するためのグレージングチャンネルにおいて、
前記グレージングチャンネルは、底面部と、この底面部から延在して設けられた左右対の側壁部とから成るとともに、前記底面部は無荷重状態時の断面形状が上方向へ突出する隆起形状を成すように形成されていることを特徴とするグレージングチャンネル。
【請求項２】
前記底面部の無荷重状態時の断面形状は、逆Ｖ字状、略円弧状または略台形状に形成された請求項１記載のグレージングチャンネル。
【請求項３】
前記側壁部の内面側にガラス面に当接する少なくとも１以上の舌片が形成されている請求項１，２いずれかに記載のグレージングチャンネル。
【発明の詳細な説明】
【０００１】
【発明の属する技術分野】
本発明は、障子框等にガラスを取り付けるに当たり、前記ガラスの周縁部を嵌合保持するためのグレージングチャンネルに関する。
【０００２】
【従来の技術】
従来よりガラスを障子枠又は戸枠等に嵌め込むには、ガラスを堅固に保持するために、障子枠又は戸枠に対してグレージングチャンネル（以下、単にグレチャンともいう。）を取付け、このグレチャンにガラスの周縁部を嵌合支持させるようにしている。
【０００３】
前記グレチャンとしては、例えば図５に示されるようなサッシ用グレチャン２０Ａ、２０Ｂが一般的に知られている。前記グレチャン２０Ａはガラスの厚さが３〜４ｍｍ程度の比較的薄めのものに、グレチャン２０Ｂはガラスの厚さが５ｍｍ以上の比較的厚めのものにそれぞれ使用され、前記グレチャン２０Ａ、２０Ｂ共に内面側に嵌合凹部２１が設けられており、この嵌合凹部２１の側壁内面側に舌片２２が形成されるとともに、前記嵌合凹部上面側に当接フランジ２３が設けられており、前記嵌合凹部２１に嵌合されたガラスを、前記舌片２２および当接フランジ２３により保持するようにしている（他には、例えば下記特許文献１、２等参照）。
【０００４】
【特許文献１】
特開２００２−３８８３１号公報
【特許文献２】
特開平１１−１７３０１８号公報
【０００５】
【発明が解決しようとする課題】
しかしながら、従来のグレチャン２０Ａ、２０Ｂ等の場合には、ガラス面を支持する前記舌片２２や当接フランジ２３等による支持力（狭持力）を高めようとすると、嵌合凹部２１の溝幅が小さくなりガラス周縁部を嵌入しづらくなるとともに、ガラス周縁部の嵌入性を上げるため溝幅を大きくすると、ガラスの支持力が低下するなど、ガラス周縁の嵌入施工性とガラス支持力との両者を十分に満足することが困難であった。
【０００６】
また、前記舌片２２や当接フランジ２３等のガラス接触部分は、長期に亘って外力を受けるうちに、変形又は劣化（硬化）してしまい徐々に当接力が失われ、ガラスの支持力が不十分となることもあった。
【０００７】
そこで本発明の主たる課題は、ガラス周縁の嵌入施工性とガラス支持力との両者を満足するとともに、ガラスの支持力を長期間に亘って維持し得るグレージングチャンネルを提供することにある。
【０００８】
【課題を解決するための手段】
前記課題を解決するための請求項１に係る発明として、ガラス周縁部を嵌合保持するためのグレージングチャンネルにおいて、
前記グレージングチャンネルは、底面部と、この底面部から延在して設けられた左右対の側壁部とから成るとともに、前記底面部は無荷重状態時の断面形状が上方向へ突出する隆起形状を成すように形成されていることを特徴とするグレージングチャンネルが提供される。
【０００９】
上記請求項１記載の発明においては、グレチャン底面部の断面形状を無荷重状態で上方向へ隆起形状を成すように形成した。ガラス端部を前記底面部に押し込むと、前記隆起形状部の押潰に伴って両側壁部がガラス面側に揺動し、両側壁部が前記揺動力によってガラス面に押し付けられ、ガラスを堅固に保持するようになる。従って、本発明ではガラス嵌合溝の幅を広くしガラス周縁部の嵌入施工性を上げることができるとともに、ガラス嵌入状態では両側壁部が押圧力をもってガラスを堅固に支持するようになる。また、ガラス接触部（舌片）が経年変化により変形又は劣化（硬化）したとしても、前記押圧力が作用しているためガラスの支持力を長期間に亘って維持し得るようになる。なお、本グレチャンは単層ガラス、複層ガラスを問わずに使用できるものである。
【００１０】
請求項２に係る発明として、前記底面部の無荷重状態時の断面形状は、逆Ｖ字状、略円弧状または略台形状に形成された請求項１記載のグレージングチャンネルが提供される。前記底面部の具体的形状としては、例えば逆Ｖ字状、略円弧状または略台形状とすることができる。これらの内、逆Ｖ字状、略円弧状形状のものは単層ガラスに適用され、略台形状のものは複層ガラスに好適に適用される。
【００１１】
【発明の実施の形態】
以下、本発明の実施の形態について図面を参照しながら詳述する。図１は本発明に係るグレチャン１Ａを示す断面図である。
前記グレチャン１Ａは、図１に示されるように、底面部２と、この底面部から略上方向に延在して設けられた左右対の側壁部３，３とから構成される。
【００１２】
前記側壁部３の内面側には、ガラス面に当接しガラスを圧接状態で支持するため、１又は複数の、図示の例では上端側の２箇所に舌片４，４が内方に向けて突出形成されている。一方、前記底面部２は、無荷重状態（製品状態）の断面形状が上方向へ突出する隆起形状、図示例では断面逆Ｖ字形状に形成されている。従って、グレチャン１Ａの全体形状はＷ字形状を成している。
【００１３】
前記底面部２と側壁部３との境界位置には、断面略円弧状の切欠き溝５，５が形成されており、底面部２を折曲げやすくするとともに、折曲げに伴う局部応力の緩和を図るようにしている。同様の理由から、前記底面部２の中央位置２ａ下面側にも小径の切欠き溝６が形成されている。
【００１４】
前記グレチャン１Ａの材質としては、一般にグレチャンの素材として使用されるものであればどのようなものであってもよい。例えば、ポリ塩化ビニル、ポリエチレン、ポリプロピレン、ポリアクリル、ポリスチレン、ポリカーボネート、ポリエチレンテレフタレート、ポリウレタン等の合成樹脂またはエラストマーや天然ゴムなどのゴム系の材質であって、ある程度の耐熱性と変形性を有するものなどが挙げられる。
【００１５】
前記グレチャン１Ａを用いて戸などの開口部にガラスを嵌め込む場合には、図２（Ａ）に示されるように、底面部２を折り畳むようにしながら、戸７の嵌合溝７ａ内にグレチャン１Ａを挿入する。嵌合後の状態では図２（Ｂ）に示されるように、前記底面部２が逆Ｖ字状に復元しＷ字形状を成している。
【００１６】
その後、同図に示されるように、ガラス８の下縁８ａを嵌入し、底面部２の中央部２ａに接触させた状態からさらに奥側に嵌入させると、前記底面部２の中央部２ａが徐々に潰され、底面部２が断面へ字状または平面状に平坦化されると、側壁部３，３が前記底面部２の押潰に伴ってガラス面側に揺動し、両側壁部３，３が前記揺動力によってガラス面に押し付けられ、ガラス８を堅固に保持するようになる。
【００１７】
以上のように、本発明に係るグレチャン１Ａの場合は、無荷重状態で底面部２の断面形状が上方向へ突出する隆起形状を成しているので、ガラス８を嵌入し前記底面部２を押潰すると、側壁部３、３がガラス面側に揺動（起立）し、舌片４、４が押圧力をもってガラス面に押し付けられ、ガラス８が堅固に支持されるようになる。
【００１８】
ところで、グレチャン底面の断面形状は隆起形状を成していれば良く、その形状は特に限定されない。例えば、図３に示されるように、前記底面部２を略円弧状に形成したグレチャン１Ｂや、図４に示されるような、底面部２を略台形状に形成したグレチャン１Ｃのようなものであっても同様の効果を奏することができる。本グレチャン１Ａ〜１Ｃは単層ガラス、複層ガラスを問わず適用することができるが、これらのグレチャン１Ａ〜１Ｃの内、単層ガラスに対しては前記底面部形状が逆Ｖ字状、略円弧状としたグレチャン１Ａ、１Ｂが好適に使用され、複層ガラスに対しては前記底面形状が略台形状のグレチャン１Ｃが、溝幅を確保できるため好適に使用される。
【００１９】
（他の形態例）
（１）上記グレチャン１Ａ〜１Ｃにおいて、側壁部３，３は左右対称形状としたが、左右対で形成されている限り非対称形状であってもよい。具体的に例えば、側壁３の厚みが異なっていても良いし、内面に形成される舌片の数が異なっていてもよい。
【００２０】
【発明の効果】
以上詳説のとおり本発明によれば、ガラス周縁の嵌入施工性とガラス支持力との両者を満足するとともに、ガラスの支持力を長期間に亘って維持し得るものとなる。
【図面の簡単な説明】
【図１】本発明に係るグレチャン１Ａを示す断面図である。
【図２】ガラス８の取付手順図であり、（Ａ）はグレチャン挿入時、（Ｂ）はガラス嵌入時、（Ｃ）は取付後の状態を示す図である。
【図３】本発明に係るグレチャン１Ｂを示す断面図である。
【図４】本発明に係るグレチャン１Ｃを示す断面図である。
【図５】（Ａ）、（Ｂ）は共に従来のグレチャンの断面形状を示す図である。
【符号の説明】
１Ａ〜１Ｃ…グレチャン、２…底面部、３…側壁部、４…舌片、５・６…切欠き溝、７…戸、８…ガラス
【図１】
2004190316.tif 000003
【図２】
2004190316.tif 000004
【図３】
2004190316.tif 000005
【図４】
2004190316.tif 000006
【図５】
2004190316.tif 000007